(57)【要約】【課題】より好ましい安定したフィット感のもとで装着・使用することができるヘッドホンの提供。【解決手段】両端部（大径基部２３）にハウジング１３等の耳用支持部１２を個別に付設してその装着時に左右の耳側を介して各別に支持されるヘッドバンド２２と、該ヘッドバンド２２の各端部（大径基部２３）に連結部３５を介して頭部Ｈへの当接を自在に連結されるヘッドパッド３２とで少なくとも構成され、該ヘッドパッド３２は、ヘッドバンド２２との連結部位に介在させた各揺動腕体４２により生成される押し下げ方向での倒伏押圧力が付与されて、その装着時における頭部Ｈ側への当接支持を自在にしてヘッドバンド２２側に連結させた。【選択図】図１
2005269075.tif 000002
【特許請求の範囲】
【請求項１】
両端部に耳用支持部を個別に付設してその装着時に左右の耳側を介して各別に支持されるヘッドバンドと、該ヘッドバンドの前記各端部に連結部を介して頭部への当接を自在に連結されるヘッドパッドとで少なくとも構成され、
該ヘッドパッドは、前記ヘッドバンドとの連結部位に介在させた各揺動腕体により生成される押し下げ方向での倒伏押圧力が付与されて、その装着時における頭部側への当接支持を自在にして前記ヘッドバンド側に連結させたことを特徴とするヘッド装着具。
【請求項２】
各揺動腕体に付与される倒伏押圧力は、介在配置されるばね材の開放一端部をヘッドバンドの前記各端部側に、開放他端部を前記揺動腕体側にそれぞれ掛止させることで生成させた請求項１に記載のヘッド装着具。
【請求項３】
各揺動腕体の倒伏最大角度は、ヘッドバンドの前記各端部に設けた突起部との当接位置との関係で規制自在とした請求項１または２のいずれかに記載のヘッド装着具。
【請求項４】
前記ヘッドパッドは、前記ヘッドバンドの前方側と後方側とに各別に配置するとともに、それぞれの連結部位に介在させた各揺動腕体を介して該ヘッドバンドの各端部との側にそれぞれを連結させた請求項１，２または３のいずれかに記載のヘッド装着具。
【請求項５】
前記ヘッドパッドは、左右に共通の耳用支持部を有して離間配置された二本のヘッドバンド相互間に配置するとともに、これらのヘッドバンドの各端部との間に各別に介在させた各揺動腕体を介して各ヘッドバンド側に個別に連結させた請求項１，２または３のいずかに記載のヘッド装着具。
【請求項６】
前記耳用支持部の少なくともいずれか一方は、電気信号を音響信号に変換する電気音響変換手段を有するヘッドホンユニットを具備させたハウジングである請求項１，２，３，４または５のいずれかに記載のヘッド装着具。
【発明の詳細な説明】
【技術分野】
【０００１】
本発明はヘッド装着具に係り、さらに詳しくは、頭部側と当接するヘッドパッドに対し常に頭部とフィットしようとするバネ力を付与することにより、装着使用時に安定したフィット感を生成することができるようにしたヘッドホンやヘッドセットを含むヘッド装着具に関する技術である。
【背景技術】
【０００２】
通常、ヘッドホンは、電気信号を音響信号に変換する電気音響変換手段（トランスジューサ）を有するヘッドホンユニットを各別に内蔵させた耳当て用の一対のハウジングと、該ハウジング相互間に架け渡されてこれら各ハウジングに対し耳側への側圧を付与するヘッドバンドとを少なくとも備えて形成されている。
【０００３】
しかし、ヘッドバンドを用いて各ハウジングを対向する耳側に確実に当接支持させようとする場合には、比較的強い側圧を生成し得るように湾曲させたヘッドバンドを用いる必要があるものの、側圧を強めようとするあまり、長時間にわたる装着使用時に圧迫感が強まり苦痛を感じるに至るという問題があった。
【０００４】
このため、本願出願人は、図２３に示すように一対のハウジング１，１相互間に架け渡されてこれらの各ハウジング１に対し側圧を付与するヘッドバンドヘッド２のほか、その使用時に頭頂部側に当接させて安定的に支持させるべくヘッドバンド２の内方に配置された一対のヘッド支持体３，３を具備させて、優れたフィット感のもとで長時間にわたり装着使用することができるヘッドホンを過去に提案している。
【特許文献１】特許第２６５７４４６号公報
【０００５】
この場合、上記ヘッドホンにおけるヘッドバンド２は、ハンガー部材２ａを介して揺動自在に係合されており、これによりハウジング１の耳に対する当接角の如何にかかわらず確実に側圧を付与できるようになっている。また、各ヘッド支持体３は、その固定端４側が回転支持部５を介してヘッドバンド２に対して回転自在となって取り付けられており、これにより使用者の頭部形状への自動調整が可能になっている。
【発明の開示】
【発明が解決しようとする課題】
【０００６】
しかし、図２３に示す特許文献１のヘッドホンにおける各ヘッド支持体３は、左右に分かれた状態でそれぞれがヘッドバンド２に対し片持ち的に取り付けられているため、自由に装着することはできるものの、逆に頭部に対するサポートが必ずしも十分ではないなど、自動調整機能付きの従来タイプの各種ヘッドホンには、安定したフィット感が必ずしも十分には得られないという不都合があった。
【０００７】
本発明は、自動調整機能付きの従来タイプの各種ヘッドホンにみられた上記課題に鑑み、より好ましい安定したフィット感のもとで装着・使用することができるヘッドホンを含むヘッド装着具を提供することを目的とする。
【課題を解決するための手段】
【０００８】
本発明は、上記目的を達成すべくなされたものであり、両端部に耳用支持部を個別に付設してその装着時に左右の耳側を介して各別に支持されるヘッドバンドと、該ヘッドバンドの前記各端部に連結部を介して頭部への当接を自在に連結されるヘッドパッドとで少なくとも構成され、該ヘッドパッドは、前記ヘッドバンドとの連結部位に介在させた各揺動腕体により生成される押し下げ方向での倒伏押圧力が付与されて、その装着時における頭部側への当接支持を自在にして前記ヘッドバンド側に連結させたことに最も主要な特徴がある。
【０００９】
この場合、各揺動腕体に付与される倒伏押圧力は、介在配置されるばね材の開放一端部をヘッドバンドの前記各端部側に、開放他端部を前記揺動腕体側にそれぞれ掛止させることで生成させるのが好ましい。また、各揺動腕体の倒伏最大角度は、ヘッドバンドの前記各端部に設けた突起部との当接位置との関係で規制自在とするのが望ましい。
【００１０】
本発明において、前記ヘッドパッドは、前記ヘッドバンドの前方側と後方側とに各別に配置するとともに、それぞれの連結部位に介在させた各揺動腕体を介して該ヘッドバンドの各端部との側にそれぞれを連結させたり、左右に共通の耳用支持部を有して離間配置された二本のヘッドバンド相互間に配置するとともに、これらのヘッドバンドの各端部との間に各別に介在させた各揺動腕体を介して各ヘッドバンド側に個別に連結させたりしてもよい。
【００１１】
さらに、前記耳用支持部の少なくともいずれか一方は、電気信号を音響信号に変換する電気音響変換手段を有するヘッドホンユニットを具備させたハウジングとすることができ、この場合、該ハウジングには、ヘッドセット用のマイクを具備させることもできる。
【発明の効果】
【００１２】
本発明によれば、ヘッドパッドは、ヘッドバンドとの連結部位に介在させた各揺動腕体により生成される押し下げ方向での倒伏押圧力が付与されて、その装着時における頭部側への当接支持を自在にして前記ヘッドバンド側に連結されているので、該ヘッドパッドを頭部側に当接させた際には、倒伏付勢力に抗しつつ後退させて自動的に密着させることができ、したがって、長時間にわたる装着使用時においても不快感を伴うことのない安定したフィット感を得ることができる。
【００１３】
本発明において、介在配置されるばね材の開放一端部をヘッドバンドの前記端部側に、開放他端部を前記揺動腕体側にそれぞれ掛止させて各揺動腕体に倒伏付勢力を付与している場合には、前記ヘッドパッドの揺動動作をより安定的でスムーズなものとすることができる。また、各揺動腕体の倒伏最大角度を規制できるようにしてある場合には、常に一定の位置に前記ヘッドパッドを待機させておくことができるので、それだけ装着操作を円滑化することができる。さらに、各揺動腕体の倒伏最大角度を規制しない構造を採用する場合には、装着使用者の髪形などに対する対応性をそれだけ高めることができるほか、好ましい装着感を得る上での許容範囲をそれだけ大きく確保することができる。
【発明を実施するための最良の形態】
【００１４】
図１は、本発明に係るヘッド装着具をヘッドホンに適用した場合の装着使用時における一例としての右側面図を、図２は、図１に示す例につきその左半分側を省略した正面図をそれぞれ示す。
【００１５】
これらの図によれば、ヘッド装着具１１は、左右一対となって配置される耳用支持部１２と、これら耳用支持部１２相互間に架け渡されたヘッドバンド２２と、該ヘッドバンド２２の前方内方位置にて人体の頭頂部などの頭部Ｈ側への当接を自在に配設されるヘッドパッド３２とを少なくとも備えて構成されている。
【００１６】
このうち、各耳用支持部１２は、電気信号を音響信号に変換する電気音響変換手段（トランスジューサ）を有する図示しないヘッドホンユニットを具備したハウジング１３として形成されており、ヘッドホンユニットは、ハウジング１３の下側外周部１３ａ側から引き出されたコード１４を介して図示しない音響機器本体側と電気的に接続されている。
【００１７】
ヘッドバンド２２は、左右に位置する各ハウジング１３と対向する位置関係にある人体の耳側方向に向けて適宜の側圧を付与すべく、例えばバンド状を呈するステンレス材やチタン材などのばね性鋼材や適宜組成の合成樹脂材などを適宜曲率のもとで湾曲させて形成されている。
【００１８】
この場合における各ハウジング１３とヘッドバンド２２における対応部位との間の連結は、該ヘッドバンド２２の左右の各端部側に設けた大径基部２３と、各ハウジング１３の上側外周部１３ｂ側からやや内寄りに傾斜させて突設された連結用突出部１５とを、適宜の連結材１６を介在させて一体化したり、該連結材１６を介在させることなく一体に連結するなどして行われている。
【００１９】
一方、ヘッドパッド３２は、その装着使用時に頭部Ｈ側に安定的に当接支持させることができるように、例えば頭頂部における左右方向での曲率と略同等の曲率を付与するなどした幅広な板状となって形成されいる。また、ヘッドパッド３２は、左右方向での両端側に補強材３４を添設してなる連結部３５が形成されており、該連結部３５の適宜位置には、止着ネジ５６を挿通させるための通孔（図示せず）が形成されている。さらに、ヘッドパッド３２は、頭部Ｈ側に対しソフトに当接させることができるように、少なくともその当接面３３を適宜の軟質材、例えば皮材やポリプロピレン等の軟質材で覆うようにして形成しておくのが好ましい。
【００２０】
また、ヘッドパッド３２は、その左右の各連結部３５とヘッドバンド２２の各大径基部２３との間に揺動腕体４２を各別に介在配置することで、ヘッドバンド２２に対し揺動自在となって連結されている。
【００２１】
図３は、この場合におけるヘッドバンド２２の大径基部３３とヘッドパッド３２の連結部３５と揺動腕体４２との間の相互の配置関係例についての要部拡大図を、図４は、相互間の連結構造例を明らかにする分解斜視図を、図５は、図４に示す揺動腕体４２を１８０度回転させた状態での分解斜視図を、図６は、図５の状態での組み立てプロセスについての斜視図をそれぞれ示す。
【００２２】
これらの図によれば、ヘッドバンド２２の各大径基部２３の内側（側頭側）には、頂端２５ａの中心位置を開口させた雌ねじ部２６を有して立設された柱状部２５と、該柱状部２５の基端２５ｂ側の周囲に空隙２７を介在させた状態で隆設されてその一部に切欠部２９を有する囲壁部２８と、該囲壁部２８の切欠部２９近傍にその外方に向けて突設された突起部３０とからなる連結部２４が形成されている。
【００２３】
一方、揺動腕体４２は、図５からも明らかなように一側に開口面４６を有するケース本体部４３と、開口面４６を覆ってケース本体部４３に止着される蓋体部５１とで構成されている。
【００２４】
このうち、ケース本体部４３は、ヘッドバンド２２の連結部２４における柱状部２５を導入できる口径の一側貫通孔４８がその基端部４４側に位置する底板４７に形成されており、一側貫通孔４８からその開放一端部６０ｂを導出させた状態でねじりコイルばねなどからなるばね材６０のコイル部６０ａが柱状部２５との間の空隙２７を介して収容できるようになっている。
【００２５】
また、ばね材６０における開放一端部６０ｂは、図４に示されているようにヘッドバンド２２の連結部２４側と対面する側に位置することになるケース本体部４３の底板４７側から外側に引き出されており、開放他端部６０ｃは、図５に示されているようにケース本体部４３内に収容されて位置固定されている。
【００２６】
さらに、ケース本体部４３における先端部４５側に位置する底板４７には、図６に示すように先端側を開口させた雌ねじ部６４ａを有する柱状部６４と、該柱状部６４の基端側に一体形成されたやや大径な頂部６３とからなる止着材６２における柱状部６４が対面配置され、その対面部位に形成された他側貫通孔４９を介して図５に示すように柱状部６４が挿通配置されるようになっている。
【００２７】
さらにまた、底板４７の外表面には、一側貫通孔４８よりもセンター側にやや寄せた位置であって、大径基部２３の囲壁部２８に設けた突起部３０との関係で定まる適宜位置に突起５８が突設されている。このため、各揺動腕体４２の倒伏最大角度は、突起５８と囲壁部２８の突起部３０との当接位置により規制することができることになる。
【００２８】
また、蓋体部５１は、ケース本体部４３の開口面４６と対面合致する平面形状が付与されて形成されており、ケース本体部４３の底板４７の他側貫通孔４９寄りに配設された雌ねじ部５０との対面部位に止着ねじ５５を挿通させるための通孔５２が形成されている。
【００２９】
さらに、蓋体部５１は、その施蓋時にケース本体部４３の一側貫通孔４８と他側貫通孔４９とに対面する各部位に同様に止着ねじ５６を各別に挿通するための通孔５３，５４が形成されている。なお、蓋体部５１にあって他側貫通孔４９と対面する側の通孔５４の近傍には、切欠部５４ａが図５と図６とに示す位置関係のもとで形成されており、その組み立て時にヘッドパッド３２の補強材３４の対面部位に突設された突起（図示せず）を導入して揺動椀体４２との間の回動角度を位置規制することができるようになっている。
【００３０】
図７〜図９は、本発明の変形例（１）〜（３）をその一部を省略して各別に示す側面図であり、そのうちの図７には、ヘッドバンド２２の右端部に位置する大径基部２３には、耳用支持部１２としてのハウジング１３が連結されており、該ハウジング１３にはヘッドセット用のマイク３１を具備させた例が示されている。なお、この例においては、左端部に位置する図示しない大径端部の耳用支持部として例えば図９に示すように耳８０側に支持されるイヤーハンガー１７が付設されることになる。また、図８には、ヘッドバンド２２の両端部の大径基部２３のそれぞれに、耳用支持部１２として同じく耳８０側に支持されるリング状耳掛け１８を付設した例が示されている。
【００３１】
図１０は、本発明のさらなる変形例（４）を示す側面図であり、図１１は、図１０におけるヘッドパッドの動きについての要部拡大説明図を、図１２は、図１１におけるＡ−Ａ線矢視方向での縦断面図をそれぞれ示す。
【００３２】
これらの図によれば、ヘッドパッド３２は、その左右の各連結部３５とヘッドバンド２２の各大径基部２３との間に揺動腕体４２を各別に介在配置することで、ヘッドバンド２２に対し揺動自在となって連結されている。しかも、この例においては、大径基部２３の長さ方向とは直交する方向に支腕部１０１が一体に延設されており、該支腕部１０１の先端部１０１ａに設けた連結部２４を介して揺動腕体４２の基端部４４が連結されている。
【００３３】
この場合、連結部２４は、図１２に示されているようにばね材６０のコイル部６０ａを収納するための空隙２７を介在させた柱状部２５と、該柱状部２５の頂面側に開口させた雌ねじ部２６とで構成されており、該雌ねじ部２６に揺動腕体４２側から止着ねじ５６を螺着することで相互が連結されることになる。また、ばね材６０の開放一端部６０ｂは、支腕部１０１の対応部位に設けた掛止穴１０２に挿入することで掛止されている。なお、これらの図中の符号１０３は、支腕部１０１側に固着された装飾体を示す。
【００３４】
図１３は、本発明の他例を示す右側面図であり、図１４は、図１３における各ヘッドパッド３２とヘッドバンド２２との連結構造を内側（頭部側）からみた際の要部を拡大して示す右側面図であり、図１５は、図１４との対応関係のもとで示す平面図である。また、図１６は、上記連結構造についての他例を図１４に対応させて示す平面図である。
【００３５】
この場合における図１５と図１６とに示す連結構造は、いずれもがヘッドバンド２２の両端部に位置する各大径基部２３に対し、前方のヘッドパッド３２の連結部３５にその先端部４５を軸支させた揺動腕体４２と、後方のヘッドパッド３２の連結部３５にその先端部４５を軸支させた揺動腕体４２とを介在させてそれぞれの基端部４４を止着ねじ５６を用いて同軸状に軸支させることで行われている。
【００３６】
このうち、図１５に示す連結構造は、一方の揺動腕体４２の基端部４４に設けた凹部６５に対し、他方の揺動腕体４２の基端部４４に設けた凸部６６を嵌め込んだ上で、止着ねじ５６を用いて同軸状に軸支することにより形成されている。この場合、ヘッドバンド２２の切欠部２９と突起部３０とは、それぞれの揺動腕体４２との関係で形成されることになり、各別に介在させたばね材（図示せず）によりそれぞれのヘッドパッド３２に対し倒伏押圧力が付与されることになる。
【００３７】
また、図１６に示す連結構造は、一方の揺動腕体４２の基端部４４と他方の揺動腕体４２の基端部４４とを相互に対面させた上で、止着ねじ５６を用いて同軸状に軸支することにより形成されている。なお、この場合、一方のヘッドパッド３２は、他方のヘッドパッド３２よりもその長さをやや長くしたものが用いられることになる。
【００３８】
図１７は、図１６に示す連結構造の具体的な構成例についての分解斜視図を、図１８は、図１７に示す連結部１２４の柱状部１２６側と止着ねじ５６側との掛止構造例を相互の対面方向にてその詳細を明らかにする説明図を、図１９は、図１７に示す連結構造についての断面説明図をそれぞれ示す。
【００３９】
これらの図によれば、ヘッドバンド２２の大径基部２３の周側面側の適位置には、短寸の円柱形を呈する基台部１２５と、該基台部１２５の上面から突設された適宜長さの柱状部１２６とからなる連結部１２４が形成されている。また、基台部１２５の上面の適宜位置には、ばね材６０の開放一端部６０ｂが差し込まれる掛止穴１２５ａが設けられている。さらに、柱状部１２６の頂端面には、止着ねじ５６が螺着される雌ねじ部１２７と、止着ねじ５６の挿通支持が自在となって形成されている支持体１３１が図１５に示すようにその裏面側に備える突起１３３と、所定位置での掛合を自在とした掛止溝１２８とが形成されている。
【００４０】
また、一方の揺動腕体４２の基端部４４と他方の揺動腕体４２の基端部４４との間には、滑動性に富む合成樹脂材など、摩擦係数の小さな適宜の素材からなる介装片１２９が介在配置されいる。
【００４１】
さらに、止着ねじ５６を挿通支持する支持体１３１には、その表面に止着ねじ５６の頭部５６ａを納めるための凹部１３２が形成されているほか、その裏面には、連結部１２４側と同様にばね材６０の開放一端部６０ｂが差し込まれる掛止穴１３４が先述の突起１３３とともに形成されている。
【００４２】
このため、一方の揺動腕体４２と他方の揺動腕体４２とは、それぞれの基端部４４，４４相互間に介装材１２９を介在させ、かつ、支持体１３１から送り込んだ止着ねじ５６を柱状部１２６の雌ねじ部１２７に螺着させることにより、掛止溝１２８と突起１３３とで規制される所定の拡開角度のもとで一体的に連結することができることになる。
【００４３】
図２０は、本発明のさらなる他例を示す右側面図であり、ヘッドパッド３２は、左右に各共通の耳用支持部１２（図示例ではハウジング１３）を有して離間配置された二本のヘッドバンド２２，２２相互間に配置されて構成されている。この場合における連結構造は、前方に位置するヘッドバンド２２の端部である大径基部２３にその基端部４４を軸支させた揺動腕体４２と、後方に位置するヘッドバンド２２の端部である大径基部２３にその基端部４４を軸支させた揺動腕体４２とのそれぞれの先端部４５を、間に位置するヘッドパッド３２の連結部３５に対し止着ねじ５６を用いて同軸状に軸支させることで行われている。
【００４４】
図２１は、図２０における連結構造を内側（頭部側）からみた際の要部を拡大して示す右側面図であり、図２２は、図２１との対応関係のもとで示す平面図である。
【００４５】
これらの図によれば、一方の揺動腕体４２の先端部４５に設けた凹部６７に対し、他方の揺動腕体４２の先端部４５に設けた凸部６８を嵌め込んだ上で、連結ねじ７０を用いて遊動可能な同軸状に軸支することにより形成されている。この場合、各揺動腕体４２の先端部４５には、その長さ方向に適宜長さのガイド孔６９が形成されており、該ガイド孔６９を介してヘッドパッド３２の移動が可能となっている。なお、各ヘッドバンド２２の切欠部２９と突起部３０とは、図３に示す例と同様にそれぞれの揺動腕体４２との関係で形成されており、各別に介在させたばね材（図示せず）の合成付勢力によりヘッドパッド３２の側に対し倒伏押圧力が付与されることになる。
【００４６】
次に、本発明の作用・効果を図１〜６に示す例に基づいて説明すれば、ばね材６０における開放一端部６０ｂを一側貫通孔４８を介して底板４７の外方に引き出した状態でコイル部６０ａと開放他端部６０ｃとをケース本体部４３内に収容して蓋体部５１を止着ネジ５５で止着して施蓋することにより、図５に示す揺動腕体４２が各別に形成される。
【００４７】
次いで、各揺動腕体４２は、その底板４７における基端部４４側をヘッドバンド２２の各大径基部２３における連結部２４に対面させ、ばね材６０の開放一端部６０ｂを囲壁部２８の切欠部２９に掛止させるとともに、蓋体部５１の通孔５３から止着ネジ５６を送り込み、柱状部２５の雌ねじ部２６に螺着して相互を一体化する。なお、このとき、揺動腕体４２は、ばね材６０の弾発力によりその先端部４５側が倒伏付勢されるようにしてその基端部４４側が各別に揺動自在に連結されることになる。
【００４８】
一方、各揺動腕体４２は、その先端部４５側を介してヘッドパッド２２と連結される。すなわち、ヘッドパッド２２の左右の端部には、補強材３４で補強された連結部３５が各別に形成されており、これらの連結部３５における内側（側頭側）から図４に示すように止着ねじ５６を図示しない通孔を介して送り込む。しかる後、蓋体部５１の通孔５４を経て図５に示すように配置された止着材６２の柱状部６４が備える雌ねじ部６４ａに螺着することで、各揺動腕体４２はヘッドパッド３２側に連結される。
【００４９】
しかも、このとき、通孔５４の近傍に形成されている切欠部５４ａには、ヘッドパッド３２の補強材３４の対面部位に突設された突起（図示せず）が導入配置されるので、揺動椀体４２との関係でヘッドパッド３２の回動角度を位置規制して取り付けることができることになる。
【００５０】
また、底板４７の外表面に設けた突起５８は、大径基部２３の囲壁部２８に設けた突起部３０と所定の倒伏角度のもとで当接するように配置されているので、該突起部３０と突起５８との相互の位置関係により、各揺動腕体４２の倒伏最大角度を規制することができることになる。
【００５１】
このようにして揺動腕体４２を介在させてヘッドバンド２２とヘッドパッド３２とを図３に示すように連結することにより、ヘッドパッド３２は、その不使用時に突起部３０と突起５８との当接位置を倒伏最大角度とした待機姿勢を常に維持させることができることになる。
【００５２】
したがって、本発明によれば、倒伏押圧力が付与されている各揺動腕体４２の先端部４５に対し、ヘッドパッド３２の各連結部３５を各別に連結することができるので、該ヘッドパッド３２を図１及び図２に示すように頭部Ｈ側に単に当接させることにより、倒伏押圧力に抗しつつ後退させることで自動的に密着させることができ、したがって、長時間にわたる装着使用時においても不快感を伴うことのない安定したフィット感を得ることができる。
【００５３】
また、介在配置されるばね材６０は、その開放一端部６０ｂをヘッドバンド２２の囲壁部２８の切欠部２９に、開放他端部６０ｃを揺動腕体４２におけるケース本体部４３側にそれぞれ掛止させることにより、各揺動腕体４２に倒伏押圧力を付与しているので、ヘッドパッド３２の揺動動作をより安定的でスムーズなものとすることができる。さらに、各揺動腕体４２の倒伏最大角度は、突起部３０と突起５８との当接位置により位置規制することができるので、常に一定の位置にヘッドパッド３２を待機させておくことができ、それだけ装着操作を円滑化することができる。
【００５４】
以上に述べた本発明の作用・効果は、図７〜図９に示す変形例（１）〜（３）においても同様にして奏させることができることになる。また、図１０に示す変形例（４）によれば、ヘッドパッド３２は、図１１からも明らかなようにオフセットした軸（連結部２４）を中心にセンター付近を円弧状に移動させることができるので、その装着使用時に個々人の頭部形状に柔軟に対応させながらフィットさせることができる。
【００５５】
さらに、図１３に示す例によれば、ヘッドパッド３２は、ヘッドバンド２２の前方側と後方側とに各別に配置された計２本により構成されており、この場合における各ヘッドパッド３２の連結部３５とヘッドバンド２２の両端部に位置する大径基部２３との間には、それぞれ揺動腕体４２が介在配置されているので、その装着時におけるフィット感をより確実で安定した状態のもとで得ることができることになる。
【００５６】
さらにまた、図２０に示す例によれば、各ヘッドバンド２２の大径基部２３に各別に基端部４４を連結させた二つの揺動腕体４２から得られる合成付勢力によりヘッドパッド３２の側に対し倒伏押圧力を付与することができる。このため、個々のばね材が生成する弾発力も例えば図３に示すばね材６０の略１／２とすることにより、その取り付け作業を容易化したり、装着時のヘッドパッド３２に対しスムーズな動きのもとで頭部Ｈへに当接させることができることになる。
【００５７】
以上は、本発明を図面に基づいて説明したものであり、その具体的な内容はこれに限定されるものではない。例えば、ばね材６０は、ねじりコイルばねのほか、場合によっては板ばねやコイルばねを用いることもできる。また、ヘッドパッド３２の補強材３４は、回動角度を位置規制するための突起（図示せず）を設けずに形成してもよく、さらに、倒伏最大角度を規制する突起部３０と突起５８とを設けずにフリーな動きができるようにすることもできる。このよう
さらに、各揺動腕体の倒伏最大角度を規制しない構造を採用する場合には、装着使用者の髪形などに対する対応性をそれだけ高めることができるほか、好ましい装着感を得る上での許容範囲をそれだけ大きく確保することができることになる。
【図面の簡単な説明】
【００５８】
【図１】本発明に係るヘッド装着具をヘッドホンに適用した場合の装着使用時における状態の一例を示す右側面図。
【図２】図１に示す例につきその左半分側を省略して示す正面図。
【図３】本発明におけるヘッドバンドの大径基部とヘッドパッドの連結部と揺動腕体との間の相互の配置関係例を示す要部拡大図。
【図４】図３における相互間の連結構造例を示す分解斜視図。
【図５】図４に示す揺動腕体を１８０度回転させた状態で示す分解斜視図。
【図６】図５の状態での組み立てプロセスを示す斜視図。
【図７】本発明の変形例（１）の側面図。
【図８】本発明の変形例（２）の側面図。
【図９】本発明の変形例（３）の側面図。
【図１０】本発明の変形例（４）の側面図。
【図１１】図１０におけるヘッドパッドの動きを要部を拡大して示す説明図
【図１２】図１１におけるＡ−Ａ線矢視方向での縦断面図。
【図１３】本発明の他例を示す右側面図。
【図１４】図１３における連結構造を内側（頭部側）からみた際の要部を拡大して示す右側面図。
【図１５】図１３に示す連結構造を図１４との対応関係のもとで示す平面図。
【図１６】図１３に示す連結構造についての他例を図１４に対応させて示す平面図。
【図１７】図１６に示す連結構造の具体的な構成例についての分解斜視図。
【図１８】図１６に示す連結部の柱状部側と止着ねじ側との掛止構造例を相互の対面方向にてその詳細を明らかにする説明図。
【図１９】図１６に示す連結構造についての断面説明図。
【図２０】本発明のさらなる他例を示す右側面図。
【図２１】図２０における連結構造を内側（頭部側）からみた際の要部を拡大して示す右側面図。
【図２２】図２０に示す連結構造を図２１との対応関係のもとで示す平面図。
【図２３】ヘッドパッドを有するヘッドホンの従来例を示す正面図。
【符号の説明】
【００５９】
１１  ヘッド装着具
１２  耳用支持部
１３  ハウジング
１３ａ  下側外周部
１３ｂ  上側外周部
１４  コード
１５  連結用突出部
１６  連結材
１７  イヤーハンガー
１８  リング状耳掛け
２２  ヘッドバンド
２３  大径基部
２４  連結部
２５  柱状部
２５ａ  頂端
２５ｂ  基部
２６  雌ねじ部
２７  空隙
２８  囲壁部
２９  切欠部
３０  突起部
３１  マイク
３２  ヘッドパッド
３３  当接面
３４  補強材
３５  連結部
３６  通孔
４２  揺動腕体
４３  ケース本体部
４４  基端部
４５  先端部
４６  開口面
４７  底板
４８  一側貫通孔
４９  他側貫通孔
５０  雌ねじ部
５１  蓋体部
５２，５３，５４  通孔
５４ａ  切欠部
５５，５６  止着ねじ
５６ａ  頭部
５８  突起
６０  ばね材
６０ａ  コイル部
６０ｂ  開放一端部
６０ｃ  開放他端部
６２  止着材
６３  頂部
６４  柱状部
６４ａ  雌ねじ部
６５，６７  凹部
６６，６８  凸部
６９  ガイド孔
７０  連結ねじ
１０１  支腕部
１０１ａ  先端部
１０２  掛止穴
１０３  装飾体
１２４  連結部
１２５  基台部
１２５ａ  掛止穴
１２６  柱状部
１２７  雌ねじ部
１２８  掛止溝
１２９  介装片
１３１  支持体
１３２  凹部
１３３  突起
１３４  掛止穴
Ｅ  耳
Ｈ  頭部
【図１】
2005269075.tif 000003
【図２】
2005269075.tif 000004
【図３】
2005269075.tif 000005
【図４】
2005269075.tif 000006
【図５】
2005269075.tif 000007
【図６】
2005269075.tif 000008
【図７】
2005269075.tif 000009
【図８】
2005269075.tif 000010
【図９】
2005269075.tif 000011
【図１０】
2005269075.tif 000012
【図１１】
2005269075.tif 000013
【図１２】
2005269075.tif 000014
【図１３】
2005269075.tif 000015
【図１４】
2005269075.tif 000016
【図１５】
2005269075.tif 000017
【図１６】
2005269075.tif 000018
【図１７】
2005269075.tif 000019
【図１８】
2005269075.tif 000020
【図１９】
2005269075.tif 000021
【図２０】
2005269075.tif 000022
【図２１】
2005269075.tif 000023
【図２２】
2005269075.tif 000024
【図２３】
2005269075.tif 000025